(57)【要約】【課題】複数の個別ケーブルを有する集合ケーブルの分岐部を簡易に保護できるケーブル分岐部保護部材を提供する。本発明は、他の一側面において、太さの異なる複数のケーブルに対して対応可能で、ケーブルに簡単に取り付けでき、ケーブル被覆を紫外線や雨水から遮蔽できる被覆構造体と被覆方法を提供する。【解決手段】本発明は、その一側面において、放射状に配置された少なくとも３つの板状の羽根部と、それら羽根部の放射状の略中心に配置され、それら羽根部のそれぞれの端部と連結された集結部とを備えたケーブル分岐部保護カバーを提供する。本発明は、他の側面において、軸方向に延在するスリットを有するチューブと、そのチューブの内部に配されたワイヤとを備え、そのチューブがその軸方向に関して捻られているワイヤ被覆構造体を提供する。【選択図】図１
2010016927.tif 000002
【特許請求の範囲】
【請求項１】
集合ケーブルを個別ケーブルに分岐する分岐部保護カバーであって、
放射状に配置された少なくとも３つの板状の羽根部と、
前記羽根部の放射状の略中心に配置され、前記羽根部のそれぞれの端部と連結された集結部と、
を備えたケーブル分岐部保護カバー。
【請求項２】
前記羽根部と前記集結部との連結箇所において、前記集合ケーブルの個別ケーブルが挿通できるように、前記分岐部保護カバーの一部を切り欠いた首部を備えた請求項１に記載のケーブル分岐部保護カバー。
【請求項３】
前記集結部の表面に予め配置されたパテ部材をさらに有する請求項１または２に記載のケーブル分岐部保護カバー。
【請求項４】
請求項１から３のいずれか1項に記載のケーブル分岐部保護カバーを取り付ける方法であって、
前記分岐部保護カバーを準備する工程と、
集合ケーブルの端部から前記個別ケーブルを分岐させる位置まで前記集合ケーブルの外被を除去する工程と、
隣接する前記羽根部の間に前記個別ケーブルを位置させた状態で、前記集結部を前記集合ケーブルの分岐部に配置する工程と、
前記羽根部が前記集合ケーブルの外被上に沿うように、前記分岐部保護カバーを折り曲げる工程と、
前記羽根部を前記集合ケーブルに固定する工程と、
を含む、分岐部保護カバーの取付方法。
【請求項５】
軸方向に延在するスリットを有するチューブと、
前記チューブの内部に配されたワイヤと、を備え、
前記チューブは捻りを加えて前記ワイヤに装着されているワイヤ被覆構造体。
【請求項６】
前記スリットは前記軸方向と並行に延在している、請求項５に記載のワイヤ被覆構造体。
【請求項７】
軸方向に延在するスリットを有するチューブを準備する工程と、
前記チューブの内部にワイヤを配置する工程と、
前記チューブにその軸方向に関して捻りを加える工程と、
捻った前記チューブを固定する工程と、
を含むワイヤ被覆方法。
【発明の詳細な説明】
【技術分野】
【０００１】
本発明は、電力ケーブルや通信ケーブル等の分岐部を保護する保護カバーならびにワイヤ被覆構造に関する。
【背景技術】
【０００２】
電力の送電に使用される電力ケーブルや光信号の伝送に使用される通信ケーブルなどには、複数のケーブル（個別ケーブル）を集合させて一括被覆した集合ケーブルが使用されている。
【０００３】
このような集合ケーブルが接続される場合には、集合ケーブルを複数の個別ケーブルに分岐させる分岐部が形成されることがある。つまり、分岐部とは集合ケーブルの外被が除去された剥き際であり、複数の個別ケーブルが露出している部分と、それらが一括して被覆されて1本のケーブルとなっている部分との境界部分のことである。このような分岐部を設けた場合、分岐部に何らかの保護部材を適用しないと、分岐部から集合ケーブル内部に雨水が浸入し、集合ケーブルが引込まれているビルや家屋内部が浸水する虞がある。
【０００４】
また、高い電圧で電力を送電できるため、個別ケーブルの被覆として架橋ポリエチレン被覆を使用した、ＣＶケーブルと呼ばれる集合ケーブルが使用されることがある。しかし、この架橋ポリエチレン被覆は従来のポリ塩化ビニル等の被覆材料と比較して耐環境性に劣るため、集合ケーブルの外被を除去した後に、個別ケーブルの被覆の外側に何らかの保護部材を配置することが好ましい。
【０００５】
例えば、特許文献１には、「折り曲げることによって絶縁電線のＹ分岐接続部の周囲を覆うための略長方形状のシート本体部と、このシート本体部の一辺の一部から延在し、折り曲げることによってＹ分岐接続部の股部を覆うための短冊状の短冊部とからなる形状を有した絶縁水密カバー」が記載されている。
【０００６】
また、特許文献２には、「撚り合わされたツイストペア電線と、このツイストペア電線に被せた合成樹脂チューブとを備える」ワイヤーハーネスが記載されている。そして「合成樹脂チューブは、周壁に軸線方向に延びるスリットが備えられ、このスリットを広げることによりツイストペア電線がスリットから中空部に収納可能な半割り体に構成されている。」ことが記載されている。
【０００７】
【特許文献１】実開平６−５０４６号公報
【特許文献２】特開２００４−１０３３２２号公報
【発明の開示】
【発明が解決しようとする課題】
【０００８】
家庭やビルに引込まれる電力用の集合ケーブルには３相の電力が送電できるように、３本の個別ケーブルを内包する集合ケーブルが使用されることが増えており、３本またはそれ以上の個別ケーブルを有する集合ケーブルの分岐部に適用可能な保護カバーへの要求が存在する。また、電力や通信ケーブルの工事に当たっては、ケーブルを切断することなく後付けでき、美観上からケーブルに取り付けたときにコンパクトに仕上げられる保護カバーが望まれている。本発明は、その一側面において、上記の要求を充足する保護カバーを提供することを課題とする。
【０００９】
また、集合ケーブルの外被が除去された個別ケーブルの被覆を保護する部材を取り付ける場合、その保護部材は個別ケーブルに簡単に取り付け可能であり、取り付け後に個別ケーブルの被覆が太陽光線等の紫外線や雨水から遮蔽されることが望まれる。また、太さの異なる複数の個別ケーブルに対して、１つの部材で対応できることも望まれる。本発明は、他の一側面において、太さの異なる複数のケーブルに対して対応可能で、ケーブルに簡単に取り付けでき、ケーブル被覆を紫外線や雨水から遮蔽できる被覆構造体と被覆方法を提供することを課題とする。
【課題を解決するための手段】
【００１０】
本発明は、その一側面において、集合ケーブルを個別ケーブルに分岐する分岐部保護カバーであって、放射状に配置された少なくとも３つの板状の羽根部と、それら羽根部の放射状の略中心に配置され、それら羽根部のそれぞれの端部と連結された集結部とを備えたケーブル分岐部保護カバーを提供する。
【００１１】
本発明は、他の一側面において、分岐部保護カバーを準備する工程と、集合ケーブルの端部から個別ケーブルを分岐させる位置まで集合ケーブルの外被を除去する工程と、隣接する羽根部の間に個別ケーブルを位置させた状態で、集結部を集合ケーブルの分岐部に配置する工程と、羽根部が集合ケーブルの外被上に沿うように、分岐部保護カバーを折り曲げる工程と、羽根部を集合ケーブルに固定する工程とを含む分岐部保護カバーの取付方法を提供する。
【００１２】
本発明は、他の側面において、軸方向に延在するスリットを有するチューブと、チューブの内部に配されたワイヤとを備え、チューブは捻りを加えてワイヤに装着されているワイヤ被覆構造体を提供する。
【００１３】
本発明は、更なる他の側面において、軸方向に延在するスリットを有するチューブを準備する工程と、そのチューブの内部にワイヤを配置する工程と、そのチューブにその軸方向に関して捻りを加える工程と、捻ったチューブを固定する工程とを含むワイヤ被覆方法を提供する。
【発明の効果】
【００１４】
本発明の一側面によるケーブル分岐部保護カバーによれば、３本またはそれ以上の個別ケーブルを有する集合ケーブルの分岐部に、容易に後付が可能で、仕上がり外径を細くすることが可能なケーブル分岐部保護カバーが提供される。
【００１５】
本発明の他の一側面によるケーブル分岐部保護方法によれば、３本またはそれ以上の個別ケーブルを有する集合ケーブルの分岐部に、容易に後付が可能で、仕上がり外径を細くすることが可能なケーブル分岐部保護方法が提供される。
【００１６】
本発明の他の側面によるワイヤ被覆構造体によれば、１の部材で外径の異なる複数のケーブルに適用でき、紫外線や雨水等からケーブル被覆を遮蔽できるワイヤ被覆構造体が提供される。
【００１７】
また、本発明の更なる他の側面によれば、１の部材で外径の異なる複数のケーブルに適用でき、紫外線や雨水等からケーブル被覆を遮蔽できるワイヤ被覆方法が提供される。
【発明を実施するための最良の形態】
【００１８】
本発明の一実施形態によるケーブル分岐部保護カバーは、EPDM等のゴム材料から構成されており、放射状に配置された少なくとも３つの板状の羽根部と、それら羽根部の放射状の略中心に配置され、それら羽根部のそれぞれの端部と連結された集結部とを備えた板状の部材である。集結部の表面には、集合ケーブルの股部を覆うパテを有することができる。3本の個別ケーブルを有し、それら個別ケーブルを一括して被覆する外被を有する集合ケーブルは、その分岐部において外被が切除されており、個別ケーブルが露出している。その分岐部に対し、パテが集合ケーブルの端部を埋める様にケーブル分岐部保護カバーを配置する。このときそれぞれの個別ケーブルはケーブル分岐部保護カバーの首部に設けられた切り欠きに位置するように、集合ケーブルとケーブル分岐部保護カバーとの位置を調整する。次にそれぞれの羽根部は集合ケーブルの外被上に沿わされ、羽根部の上に例えばビニルテープを巻きつけて、ケーブル分岐部保護カバーと集合ケーブルとを一体化する。
【００１９】
本発明の他の一実施形態によるワイヤ被覆構造体は、各種ケーブルや電線、パイプなどのワイヤ状の物体に対して適用することができ、例えば上記の分岐部に対してケーブル分岐部保護カバーと共に使用することができる。また、ケーブルのみを被覆する目的や複数のケーブルを束ねる目的で、ケーブルの分岐部でない位置に適用することができる。このワイヤ被覆構造体には、軸方向に延在するスリットを有するチューブが使用され、その内部空間にワイヤを配置し、そのチューブを軸方向に関して捻ったのちに固定された被覆構造体である。チューブを捻ることで、チューブの内径がワイヤの外径に対応した内径まで縮小される。さらに、チューブのスリット部を挟んで対向している端部が相互に密着し、スリットを実質的に閉じることができる。従って、スリットを通して紫外線や雨水が内部のワイヤ被覆に達することを防止できる。
【００２０】
以下、各実施形態に従って本発明を説明する。図１は本発明の一実施形態によるケーブル分岐部保護カバー１を示す平面図である。ケーブル分岐部保護カバー１は略平板状のカバー部材１０と、カバー部材の表面に配置されたパテ２０とを備える。
【００２１】
カバー部材１０は、それぞれが略矩形を有した３つの羽根部１２と、それら羽根部の端部と連結されている集結部１４とを備えている。カバー部材１０は厚みが略均一な一枚の板状の部材を切り抜いて構成されている。カバー部材１０はケーブル分岐部への適用が容易に行える程度の可撓性や伸びを有する任意の材料から構成することができる。このような材料としては、EPDMやシリコーン等のゴムや、熱可塑性エラストマを挙げることができる。また、屋外において使用されるカバー部材１０にあっては、使用環境条件に対応した耐環境性を有することが好ましい。そのため、カバー部材１０の材料に、カーボンブラックや各種の添加剤を加えて、耐紫外線性を向上させることができる。カバー部材１０は公知の加工方法、例えばゴム等の板状部材から金型等で切り抜く、もしくはゴム等の材料を射出成形することで作製することができる。
【００２２】
本実施形態ではカバー部材１０の３つの羽根部１２は略放射状に配置されている。つまり、３つの羽根部１２は、それらの中心軸を延長した線がおよそ一点で重なる様に配置されている。そして、隣接する２つの羽根部１２が成す角度θが、どの2つの羽根部においても略同じ角度となるように設定されている。
【００２３】
羽根部１２は集合ケーブルに取り付けられたときに、集合ケーブル７０の外被７２上を概略覆うように構成されている。そのため、羽根部１２の幅Ｗは、集合ケーブル７０の外周長さのおよそ１／３に設定されている。また、羽根部１２の長さは、羽根部１２の集結部１４とは反対側の端部１３が、集合ケーブル外被７２上に達する程度の長さがあれば良い。
【００２４】
集結部１４は、3つの羽根部１２の放射状配置の中心にあり、それぞれの羽根部１２の一端と連続している。集結部１４は羽根部１２と略同じ厚みを有する板状の部分である。集結部１４は集合ケーブル７０の分岐部に適用されたときに、3本の個別ケーブル７４の略中央、つまり股部７８に配置される（図３参照）。
【００２５】
カバー部材１０は更に首部１６を備えることができる。首部１６は、集結部１４と羽根部１２との境界部分に設けられた切り欠き１７に隣接するカバー部材１０の一部分である。切り欠き１７は略円弧状の外周を有する、カバー部材１０の一部が欠損した部分である。つまり首部１６は、羽根部１２の集結部１４側の端部において、羽根部１２の幅が狭くなった部分である。もしくは、首部１６は隣接する２つの羽根部１２の側面１５が交差する部分の近傍において、集結部１４がその中心側に向けて後退した部分である。カバー部材１０に設けられた切り欠き１７の形状は、カバー部材１０が適用される個別ケーブル７４の外径に対応した径を有する円弧状とすることができる。円弧状の切り欠き１７を設けると、個別ケーブル７４の被覆に対して首部１６の密着性を向上することができる。または、カバー部材１０が集合ケーブル７０に装着されるときに引き伸ばされることを考慮し、適用される個別ケーブル７４の外径よりも小さい曲率半径を有する切り欠き１７とすることができる。
【００２６】
上記では３本の個別ケーブル７４を有する集合ケーブルに適用するためのカバー部材１０について説明した。本実施形態のカバー部材１０は、羽根部１２の数を増やすことで、それ以上の本数の個別ケーブル７４を有する集合ケーブル７０へも対応できる。例えば、４本の個別ケーブル７４を有する集合ケーブル７０へ適用するには、カバー部材１０に４つの羽根部１２を設けることで適用できる。このように、本実施形態のケーブル分岐部保護カバー１は、4本以上の個別ケーブル７４を有するケーブルへも適用することができる。
【００２７】
ケーブル分岐部保護カバー１は、カバー部材１０に加えて、更にパテ２０を備えることができる。パテ２０は高い粘性と粘着性とを有する粘土状の材料である。パテ２０を分岐部の股部７８に充填することで集合ケーブル７０内部へ雨水等の浸入を阻止できるため、ケーブル分岐部保護カバー１の防水性能を向上することができる。本実施形態のケーブル分岐部保護カバー１に適用できるパテ２０としては、高い粘性と粘着性とを備える任意の材料が使用でき、例えばブチルゴム等のゴム材料を主成分とする公知のパテ材料が使用できる。パテ２０には、ゴム材料に加えて粘性や粘着性、耐候性等を調整するための各種の添加剤を加えたものを使用することができる。市販されているこのようなパテ２０の一例として、住友スリーエム株式会社から販売されている＜スコッチフィル＞を挙げることができる。図１に示す分岐部保護カバー１では、カバー部材１０の集結部１４の略中央に一塊のパテ２０が配置されている。パテ２０はカバー部材１０とは別途の部材として取り扱っても良いが、パテ２０はその粘着性によってカバー部材１０に付着させられるので、予めパテ２０をカバー部材１０に配置しておくと、パテ２０とカバー部材１０とを一体的に取り扱うことができる。
【００２８】
次に、本実施形態のケーブル分岐部保護カバー１が適用できる集合ケーブル７０について説明する。集合ケーブル７０の一例として、電力伝送用CVケーブルを有する集合ケーブルの断面図を図２に示す。集合ケーブル７０は複数の個別ケーブル７４を集合させ、外被７２で一括して覆い、断面略円形のケーブルを構成している。個別ケーブル７４は例えば銅などの金属からなる導電体７６を、絶縁性の樹脂、例えばポリエチレンやポリ塩化ビニルなど、の被覆７５で覆った断面略円形のケーブルである。本実施形態の個別ケーブル７４はCVケーブルと呼ばれるものであり、通常のケーブルに比べて大きい許容電流容量を有する。許容電流容量を増大させるために、CVケーブルには、絶縁特性に優れた架橋ポリエチレンが被覆材料として使用されている。集合ケーブル７０は個別ケーブル７４を複数、図示の例では３本、集合させ、一定のピッチでそれらを撚り合わせてある。集合された個別ケーブル７４と外被７２との間には、必要に応じて介在物７７を配置することができる。さらに、複数の個別ケーブル７４と介在物７７とに、テープ状の押え巻き７９をらせん状に巻きつけることもできる。集合ケーブル７０の外被７２は、耐環境性に優れた樹脂材料、例えばポリプロピレンやポリ塩化ビニル等で構成されており、樹脂材料を集合させた個別ケーブルの上に押し出し成形等によって押し出して被覆することができる。
【００２９】
図３から図６を参照し、集合ケーブル７０に本実施形態のケーブル分岐部保護カバー１を取り付ける方法を説明する。集合ケーブル外被７２の分岐部を設ける場所にカッター等で円周方向に切り込みを入れて、外被７２をケーブル端部から必要な長さだけ除去して個別ケーブル７４を露出させる。介在物７７や押え巻き７９が適用されている場合は、外被７２の剥き際でそれらも除去する。このように処理を行うと、３本の個別ケーブル７４の内側に股部７８が形成される（図３）。
【００３０】
次に、集結部１４が３本の個別ケーブルの中央、つまり股部７８に位置するようにカバー部材１０を集合ケーブル７０に対して配置する。このとき、パテ２０が配置されたカバー部材１０の表面が、股部７８に対向するようにする。また、各個別ケーブル７４は、カバー部材１０の切り欠き１７に位置するように、保護カバー１０と個別ケーブル７４との相対位置を調整する。次いで、のパテ２０が配置されていない側の集結部１４表面を指で押して、パテ２０を股部７８に充填させる（図４）。
【００３１】
カバー部材１０を羽根部１２と集結部１４との境界部近傍で折り曲げ、剥き際近傍の外被７２上に羽根部１２を沿わせる。このとき、羽根部１２に張力を加えながら折り曲げると、集結部１４が股部７８に対して押し付けられることとなり、この部分での水密性をより高めることができる。羽根部１２の幅Ｗを上述の通りケーブル外周長さのおよそ１／３に設定しておくと、隣接する羽根部１２同士が重なることなく集合ケーブル７０の外被７２上に全ての羽根部１２を添わせることができ、分岐部をコンパクトに仕上げることができる（図５）。
【００３２】
次に外被７２上に沿わせた羽根部１２に、絶縁性のテープ３０、例えばポリ塩化ビニル製のテープ、をらせん状に巻きつけて、カバー部材１０と集合ケーブル７０とを一体化させる。このテープ巻きによってカバー部材１０が集合ケーブル７０に固定されるとともに、羽根部１２と羽根部１２との間の隙間を覆うことができるのでケーブル分岐部の水密性を高めることができる。テープ３０は、例えば羽根部１２と集結部１４側との境界部付近から巻き始め、羽根部１２の端部１３に向けてらせん状に巻いていくことができる。また、テープ３０の端部は少なくともその一部が羽根部端部１３よりも下側の集合ケーブル外被７２上にも巻かれていることができる。このようにすると、カバー部材１０と集合ケーブル７０との固定強度と分岐部での防水性を高めることができる（図６）。このような手順により、本実施形態のケーブル分岐部保護カバー１を集合ケーブル７０の分岐部に取り付けることができる。なお、テープ３０の代わりに、結束バンドや収縮チューブを使用して固定することもできる。テープ３０や収縮チューブでは羽根部１２全体を覆うことができるので分岐部の水密性を高めることができ、結束バンドを使用すると簡易に短時間でカバー部材１０を固定することができる。
【００３３】
次いで、本発明の一側面であるワイヤ被覆方法について説明する。集合ケーブル７０の分岐部から突出している個別ケーブル７４にこのワイヤ被覆方法を適用することで、個別ケーブル７４の耐環境性を向上することができる。なお、ここでワイヤとは各種ケーブルやコード、チューブ、パイプ等の繊維状の形状を有するもの一般を意味するが、本実施形態のワイヤ被覆方法は、紫外線や雨水による劣化を受けやすい屋外で使用されるケーブル類に特に好適に使用される。
【００３４】
図７に本実施形態のワイヤ被覆方法に使用できるチューブ４０を示す。チューブは略円筒状の本体４２と、その軸方向に延在する略直線状のスリット４４をチューブ全長に渡って備えている。チューブ４０は更にスリット４４を挟んで対向する２つの縁部４５を有する。スリット４４はらせん状に形成されていても良いが、直線状のスリット４４では切断されていない（端部を有さない）ワイヤへのチューブ４０装着が容易になる。本実施形態では、縁部４５付近の本体４２の厚みが円周方向に漸次減少している。本体４２の厚みは円周方向で均一にしても良いが、以下に説明する様にチューブ４０を捻ったときに縁部４５同士が重なるため、縁部４５に向けて厚みが徐々に薄くなるようにしておくと、縁部４５の重なった部分での仕上がり外径の増加を抑制することができる。チューブ４０の内部空間４３は、ケーブル、コード等のワイヤを受容する。
【００３５】
チューブ４０はゴムやエラストマ等の柔軟性を有する各種材料から作製することができ、例えば、EPDMやシリコーンなどのゴムや熱可塑性樹脂から作製することができる。チューブ４０を作製する材料には、使用される環境や要求される特性に応じて、各種の添加剤を加えることができる。
【００３６】
チューブ４０はその直線状のスリット４４にケーブルを通すことで、容易にケーブルに装着できる。しかし、スリット４４を有するために、紫外線や雨水がこのスリット４４を通って内部空間４３に配置されたワイヤに達することができる。また、内部空間４３がワイヤの太さに比べて大きい場合には、チューブ４０を取り付けた後の仕上がり寸法が必要以上に太くなる。そこで、本ワイヤ被覆方法では、ワイヤに装着したチューブ４０にその軸方向に関して捻りを加える。チューブ４０に捻りが加わると対向している２つの縁部４５が接近して重なり合い、縁部４５同士もしくは縁部４５と本体４２とが密着する。そのためスリット４４が実質的に閉じられることになり、チューブ４０の内部空間４３に収容されたワイヤがスリット４４を経由して紫外線や雨水に曝されることを防げる。さらに、チューブ４０を捻ると、チューブ４０の内面４６がワイヤ表面と接する程度にまでチューブ４０の内部空間４３が縮小される。したがって、ワイヤの外径に比して大きい内部空間４３を有するチューブ４０を使用しても、チューブ４０をワイヤにフィットした状態で装着でき、仕上がり外径を最小化できる。
【００３７】
図８および図９を参照し、本実施形態のワイヤ被覆手順を説明する。以下の説明では、上述した集合ケーブル７０を例に手順を説明するが、本手順は他の種類のケーブル等にも適用できる。
【００３８】
図８に示すように、集合ケーブル７０の外被７２を除去して露出された個別ケーブル７４に、チューブ４０を装着する。本チューブ４０はその全長にわたって直線状のスリット４４が設けられているため、電力が実際に送電されているような活線に対しても容易にチューブ４０を嵌めることができる。つまりチューブ４０をケーブル７４に容易に後付することができる。そして、チューブ４０の一端を結束バンド５０やビニルテープによって個別ケーブル７４に対して固定する。なお、この固定は次の工程でチューブ４０を捻ったときに、個別ケーブル７４に対してチューブ４０が回転しない程度の強度で固定できれば良い。
【００３９】
次に、チューブ４０の他端付近を保持し、軸方向に関してチューブ４０に捻りを加える（図９）。捻りを加える回数は、被覆する部分の長さや、チューブ４０の内径と被覆されるケーブル７４の外径との関係により決まる。チューブ４０を捻るとチューブ４０のスリット４４は閉じ、らせん状に延在するようになる。またチューブ４０の外径も捻りのない状態よりも細くなる。捻りを加えた後、チューブ４０の他端付近を結束バンド５０やビニルテープを使用して、チューブの捻りが解けない程度に固定する。これによって個別ケーブル７４（ワイヤ）に対して、被覆部材であるチューブ４０を装着することができる。分岐部保護カバー１の取付を併せて行う場合は、この後に上述のようにしてカバー部材１０を取り付けることができる。
【００４０】
本発明を上述の実施形態に即して説明したが、本発明はこれら実施形態に限定されるものではなく、種々の変形を行うことができる。
【００４１】
カバー部材１０はその一方の表面に、予め粘着剤を塗布して粘着層を備えることができる。粘着剤としては、集合ケーブル外被７２に対して接着できるものであれば良く、例えばゴム系やシリコーン系の粘着剤が利用できる。カバー部材１０に予め粘着層を設けておけば、羽根部１２をテープ３０で固定しなくとも、集合ケーブル７０にカバー部材１０を固定することができる。
【００４２】
また、上述のカバー部材１０では、それぞれの羽根部１２の幅Ｗは略同じであったが、それぞれの羽根部１２の幅Ｗを異ならせても良い。さらに、羽根部１２の幅Ｗは、３本の個別ケーブル７４を有する集合ケーブル７０の場合には集合ケーブル７０の外周長さの約１／３としたが、それよりも幅広く形成してもよい。あるいは羽根部１２の形状を、上述の矩形以外の形状、例えば台形状にしても良い。このような羽根部１２を備えたカバー部材１０を集合ケーブル７０表面に沿わせると隣接する羽根部１２同士が重なるため、集合ケーブル外被７２表面をカバー部材１０だけで隙間なく覆うことができる。さらに羽根部１２の重なった部分を切除すると、分岐部の仕上がり外径を無用に増やすことが無い。
【００４３】
さらに、カバー部材１０の厚さを場所によって異ならせることもできる。例えば、集結部１４の厚みよりも羽根部１２の厚みを薄くすることができる。このようにすると、カバー部材１０を装着したときに集合ケーブル７０の外径の増大をより小さくすることができる。
【００４４】
カバー部材１０の首部１６に隣接する切り欠き１７は、それぞれが異なった大きさとすることができる。集合ケーブル７０に含まれる個別ケーブル７４の太さがそれぞれ異なる場合には、それぞれの切り欠き１７の曲率をそれぞれの個別ケーブル７４の外径と対応させておくことで、分岐部での水密性を高めることができる。
【００４５】
ワイヤ被覆方法に使用するチューブ４０についても、種々の変形をすることができる。チューブ４０に捻りを加えたときにスリット４４の水密性をより高めるために、チューブ表面に予め粘着層を設けても良い。粘着層はチューブ内面４６に全面的に、もしくは縁部４５付近のみに設けることができる。またはチューブ外面４７の縁部４５付近のみに設けても良い。粘着層をチューブの縁部４５付近に設けると、スリットでの水密性を高める効果を発揮しながら、不要な箇所でのチューブ４０とケーブルとの接着が防げるので、チューブ４０装着の作業性を改善することができる。一方、チューブ内面４６に全面的に粘着層を設けると、チューブ４０とケーブル外被との接着面積が広く得られるので、チューブ４０のケーブルへの固定強度を高めることができる。防水性をさらに高めるために、捻った状態で固定されたチューブ４０の上に、例えばビニルテープのようなテープをらせん状に巻きつけて、チューブ４０を覆っても良い。
【図面の簡単な説明】
【００４６】
【図１】本発明の一実施形態によるケーブル分岐部保護カバーの平面図である。
【図２】集合ケーブルの断面構造図である。
【図３】本発明の一実施形態によるケーブル分岐部保護カバーの取り付け方法を説明する図である。
【図４】本発明の一実施形態によるケーブル分岐部保護カバーの取り付け方法を説明する図である。
【図５】本発明の一実施形態によるケーブル分岐部保護カバーの取り付け方法を説明する図である。
【図６】本発明の一実施形態によるケーブル分岐部保護カバーの取り付け方法を説明する図である。
【図７】本発明の一実施形態によるワイヤ被覆方法に使用できるチューブの斜視図である。
【図８】本発明の一実施形態によるワイヤ被覆方法を説明する図である。
【図９】本発明の一実施形態によるワイヤ被覆方法を説明する図である。
【符号の説明】
【００４７】
１    ケーブル分岐部保護カバー
１０    カバー部材
１２    羽根部
１４    集結部
１６    首部
４０    チューブ
４２    本体
４４    スリット
４５    端部
７０    集合ケーブル
７２    外被
７４    個別ケーブル
７８    股部
【図１】
2010016927.tif 000003
【図２】
2010016927.tif 000004
【図３】
2010016927.tif 000005
【図４】
2010016927.tif 000006
【図５】
2010016927.tif 000007
【図６】
2010016927.tif 000008
【図７】
2010016927.tif 000009
【図８】
2010016927.tif 000010
【図９】
2010016927.tif 000011